(57)【要約】【課題】建物内に設けられる階段横収納において、建物内の日常頻繁に使用される階段横であっても階段のスペースを狭めることなく、開放感のある収納スペースとして有効利用できるようにする。【解決手段】建物の上下階を接続する階段Ｋ１の横に位置し、当該階段Ｋ１の配設される階段室１０を隣接する他の空間Ｒと間仕切る側壁１１を、階段Ｋ１に沿って延在する井桁に組んだ棚１２によって構成するようにした。よって、建物内の日常頻繁に使用される階段Ｋ１の階段横であっても当該階段Ｋ１のスペースを狭めることなく、開放感のある収納スペースとして有効利用できる。【選択図】図１
2014224417.tif 000002
【特許請求の範囲】
【請求項１】
建物の上下階を接続する階段の横に位置する側壁に設けられ、前記階段に沿って延在する井桁に組んだ棚を備える階段横収納において、
前記階段は、前記側壁によって隣接する他の空間と間仕切られた階段室に配設されており、
前記棚は、前記側壁を構成することを特徴とする階段横収納。
【請求項２】
請求項１に記載の階段横収納において、
前記棚は、
前記階段より上方に位置する部分が、前記階段室の内方となる当該階段側と、外方となる前記他の空間側とを連通するように貫通した状態で開放されており、
前記階段より下方に位置する部分の前記他の空間側が開放されていると共に、前記階段側が閉塞されていることを特徴とする階段横収納。
【請求項３】
請求項２に記載の階段横収納において、
前記棚は、前記階段より下方に位置する前記他の空間側における一部が別体で形成されていると共に、着脱自在に構成されていることを特徴とする階段横収納。
【請求項４】
請求項１〜３のいずれか一項に記載の階段横収納において、
前記側壁における前記棚の部位は、その他の部位に比較して壁厚方向の寸法が長く設定されていることを特徴とする階段横収納。
【請求項５】
請求項１〜４のいずれか一項に記載の階段横収納において、
前記棚の前記階段側には、前記階段を支持するための支持部が設けられていることを特徴とする階段横収納。
【請求項６】
請求項５に記載の階段横収納において、
前記棚における前記支持部を備えた部位が、壁パネルによって構成されていることを特徴とする階段横収納。
【請求項７】
請求項１〜６のいずれか一項に記載の階段横収納において、
前記棚は、前記階段室内方となる前記階段側に、当該階段に沿った手摺が取付可能となっていることを特徴とする階段横収納。
【発明の詳細な説明】
【技術分野】
【０００１】
本発明は、住宅等の建物内の階段横の壁に棚等の収納を設けてなる階段横収納に関する。
【背景技術】
【０００２】
近年、建物内における共通スペースの領域部分またはそれに隣接する部分に、種々の用途に利用可能な棚等の収納を配置するように設計された住宅が多く見受けられる（例えば、特許文献１参照）。
【０００３】
この特許文献１に記載の地階を有する建物には、１階から地階に至る階段が設けられるが、この階段は日常の生活においてはそれほど頻繁に利用されない場合が多い。このため、階段横の壁に井桁に組んだ棚を設けることにより、この領域を有効かつ機能的に利用する試みがなされている。
【先行技術文献】
【特許文献】
【０００４】
【特許文献１】特開２０００−３２０１６５号公報
【発明の概要】
【発明が解決しようとする課題】
【０００５】
しかしながら、特許文献１に記載の階段横収納は、階段横の壁から階段中央側に突出して配置されているため、階段の幅方向におけるスペースが狭められ、当該階段を利用する住人に対して圧迫感を与える場合がある。また、かかる階段横収納は、地階がない建物において頻繁に使用される階段横にも収納を設けたいという要望があった際に好適ではない場合がある。
【０００６】
そこで、本発明の課題は、建物内の日常頻繁に使用される階段横であっても階段のスペースを狭めることなく、開放感のある収納スペースとして有効利用できる階段横収納を実現することを目的とする。
【課題を解決するための手段】
【０００７】
請求項１に記載の発明は、例えば図１〜図６に示すように、建物の上下階を接続する階段Ｋ１の横に位置する側壁１１に設けられ、前記階段Ｋ１に沿って延在する井桁に組んだ棚１２を備える階段横収納１において、
前記階段Ｋ１は、前記側壁１１によって隣接する他の空間Ｒと間仕切られた階段室１０に配設されており、
前記棚１２は、前記側壁１１を構成することを特徴とする。
【０００８】
請求項１に記載の発明によれば、階段室１０に配設される階段Ｋ１の横に位置し、当該階段室１０を隣接する他の空間Ｒと間仕切るための側壁１１が、階段Ｋ１に沿って延在する井桁に組んだ棚１２によって構成されるので、建物内の日常頻繁に使用される階段横であっても階段Ｋ１のスペースを狭めることなく、開放感のある収納スペースとして有効利用できる。
このとき、この階段横収納１は、井桁に組んだ棚１２によって構成されるので、デザイン性に優れている。また、棚１２全体への物品の出し入れに階段Ｋ１を利用できるので利便性にも優れており、しかもその便利な棚１２を階段Ｋ１に沿って広範囲に設けることができる。
【０００９】
請求項２に記載の発明は、例えば図１〜図６に示すように、請求項１に記載の階段横収納１において、
前記棚１２は、
前記階段Ｋ１より上方に位置する部分が、前記階段室１０の内方となる当該階段Ｋ１側と、外方となる前記他の空間Ｒ側とを連通するように貫通した状態で開放されており、
前記階段Ｋ１より下方に位置する部分の前記他の空間Ｒ側が開放されていると共に、前記階段Ｋ１側が閉塞されていることを特徴とする。
【００１０】
請求項２に記載の発明によれば、棚１２は、階段より上方に位置する部分（収納部１３）が、階段室１０の内方となる当該階段Ｋ１側（背面側）と、外方となる他の空間Ｒ側（正面側）とを連通するように貫通した状態で開放されている。また、階段Ｋ１より下方に位置する部分（収納部１３Ａ）の他の空間Ｒ側が開放されていると共に、当該階段Ｋ１側が閉塞されている。すなわち、棚１２の階段Ｋ１より上方部分は、背面側と正面側とが貫通して開放され、階段Ｋ１より下方部分は、正面側のみが開放されると共に、背面側が側壁１１によって閉塞されている。
このようにすれば、棚１２の階段Ｋ１より上方の収納部１３が貫通して開放されていることにより、扉などの閉塞する部品のある棚に比べて格段と開放性が向上するため、階段Ｋ１の階段横の空間に開放感が得られる。さらに、棚１２の階段Ｋ１より下方の収納部１３Ａの背面側が階段横の側壁１１によって閉塞されているので、棚１２の背面（収納部１３Ａの奥面）に側壁１１が存在する形態となり、この側壁１１に物品や装飾品を飾り付けて利用することができる。このとき、井桁に組んだ棚１２が四角い額縁のような装飾機能も発揮する。
【００１１】
請求項３に記載の発明は、請求項２に記載の階段横収納１において、
前記棚１２は、前記階段Ｋ１より下方に位置する前記他の空間Ｒ側における一部が別体で形成されていると共に、着脱自在に構成されていることを特徴とする。
【００１２】
請求項３に記載の発明によれば、階段Ｋ１より下方に位置する他の空間Ｒ側（正面側）の棚１２の一部が、別体で（例えば、棚ユニット１２Ａとして）着脱自在に形成されているので、必要に応じて収納部１３Ａを増減させることができ、棚１２における収納量を調整できる。また、この棚ユニット１２Ａを装着して収納部１３Ａを形成することで、棚１２全体に収納部１３，１３Ａを井桁状に配置したデザインとしたり、この棚ユニット１２Ａを離脱させて収納部１３Ａを排除することで、棚１２の当該棚ユニット１２Ａを配置していた部分（段部２０）を閉塞されたデザインとしたりでき、棚１２のデザインにバリエーションを持たせることもできる。
【００１３】
請求項４に記載の発明は、請求項１〜３のいずれか一項に記載の階段横収納１において、
前記側壁１１における前記棚１２の部位は、その他の部位に比較して壁厚方向の寸法が長く設定されていることを特徴とする。
【００１４】
請求項４に記載の発明によれば、側壁１１における棚１２の部位が、他の側壁１１だけの部位に比較して壁厚方向の寸法が長く（すなわち、厚みが厚く）設定されており、この棚１２が井桁に組んだ構成からなるので、棚１２は十分な剛性を発揮できる。従って、階段Ｋ１の階段横における側壁１１の剛性を高い状態で維持できる。
【００１５】
請求項５に記載の発明は、請求項１〜４のいずれか一項に記載の階段横収納１において、
前記棚１２の前記階段Ｋ１側には、前記階段Ｋ１を支持するための支持部が設けられていることを特徴とする。
【００１６】
請求項５に記載の発明によれば、棚１２の階段Ｋ１側（すなわち、階段室１０の内方に位置する背面側）には、当該階段Ｋ１を支持するための支持部（例えば、ささら桁）が設けられているので、この支持部（ささら桁など）によって段板を支持することで階段Ｋ１を構成できるため、階段Ｋ１と棚１２を一体化でき、これらの施工を簡略化できる。また、棚１２の下方部分が階段状の段差を有する形態となるので、階段Ｋ１との関係においてデザイン性が向上し、ギャラリーとして利用する際に効果的である。しかも、棚１２自体は井桁に組んで構成されるので、棚１２の下方部分を階段状の段差で形成することに大変都合が良い。
【００１７】
請求項６に記載の発明は、請求項５に記載の階段横収納１において、
前記棚１２における前記支持部を備えた部位が、壁パネルによって構成されていることを特徴とする。
【００１８】
請求項６に記載の発明によれば、棚１２における前記支持部（ささら桁）を備えた部位が、壁パネルによって構成されているので、施工がより簡易になり、工期を一段と短縮化できる。
【００１９】
請求項７に記載の発明は、請求項１〜６のいずれか一項に記載の階段横収納１において、
前記棚１２は、前記階段室１０内方となる前記階段Ｋ１側に、当該階段Ｋ１に沿った手摺が取付可能となっていることを特徴とする。
【００２０】
請求項７に記載の発明によれば、棚１２の階段室１０の内方となる階段Ｋ１側（背面側）に、当該階段Ｋ１に沿った手摺が取付可能となっているので、階段Ｋ１を使用する際の使い勝手が良い。このとき、棚１２の上方部分を、階段Ｋ１に沿った手摺を有する形態とすることができ、階段Ｋ１との関係においてデザイン性が向上する利点を備えることができる。
【発明の効果】
【００２１】
本発明によれば、建物内の日常頻繁に使用される階段横であっても階段のスペースを狭めることなく、開放感のある収納スペースとして有効利用できる。
【図面の簡単な説明】
【００２２】
【図１】本発明に係る階段横収納の一実施形態を概略的に示す斜視図である。
【図２】図１の階段横収納を側面から見て示す側面図である。
【図３】図１の階段横収納を正面から見て示す正面図である。
【図４】図１の階段横収納の階段室内方側を側面側から見て示す斜視図である。
【図５】図１の階段横収納の階段室内方側を上階側から見て示す斜視図である。
【図６】図１の階段横収納における要部の着脱に関する説明に供する斜視図である。
【発明を実施するための形態】
【００２３】
以下、本発明の一実施形態について、図面を参照しながら詳細に説明する。
図１は、本実施形態における階段横収納１を概略的に示す斜視図であり、図２は、その階段横収納１を階段室１０における下階の出入口側に位置する側面から見て示す側面図、図３は、その階段横収納１を階段室１０の外方に位置する正面から見て示す正面図、図４は、その階段横収納１の階段室１０の内方側を側面側から見て示す斜視図、図５は、その階段横収納１の階段室１０の内方側を上階側から見て示す斜視図である。なお、以下の説明において、左右とは、階段室１０の外方に位置する他の領域Ｒ側から見た方向、換言すれば、図２の紙面における階段横収納１を正面から見た左右方向を示すこととする。
【００２４】
図１に示すように、本実施形態の階段横収納１は、不図示の建物の上下階を接続する階段Ｋ１の階段横に位置し、当該階段Ｋ１を有する階段室１０の側壁１１に設けられ、この階段Ｋ１に沿って延在する井桁に組んだ棚１２を備えている。かかる階段室１０は、側壁１１によって隣接する他の空間Ｒと間仕切られており、この側壁１１が階段横収納１によって構成されている。換言すれば、階段横収納１は、階段室１０の側壁１１における階段Ｋ１に沿った一部に設けられる開口部分に組み込むように配設され、当該側壁１１の一部を構成している。
【００２５】
ここで、建物の上下階を接続する階段Ｋ１とは、複数階を有する建物において、下階と上階とを接続する階段に限らず、例えば１階と２階や、２階と３階、地階と１階、地階から３階など、上下に位置する各階を接続する階段を広く適用でき、当該階段Ｋ１の構成としては、直階段，折り返し階段，廻り階段など種々の階段を適用できる。
また、階段Ｋ１に沿って延在するとは、側壁１１における階段Ｋ１の上下方向（高さ方向）と、当該階段Ｋ１の一方（例えば、下階）から他方（例えば、上階）へ向かう際の方向（つまり、側壁１１における幅方向）とのいずれかまたは両方向に延びて存在することを意味する。
【００２６】
かかる階段横収納１は、図２〜図５にも示すように、下階から上階に至る高さと長さを有している。そして、側壁１１の前記開口部分に板材を井桁状（格子状）に組み込むことによって、当該側壁１１の正面（階段室１０の外方側）から見て矩形状に区画された複数の収納部１３…を有する棚１２を構成するようになっている。この場合、これら収納部１３…は、左右方向に３つ、上下方向に６つずつ区画されており、そのうち、右列下方の３つと、中列下方の２つおよび左列下方の１つが階段Ｋ１と略対向する位置と重なるため、収納部１３ではなく側壁１１によって構成されている。換言すれば、棚１２の下辺側は、下階側から上階側に向けて１段ずつ上がる階段形状の段部２０を有しており、当該段部２０は壁パネルからなるパネル工法によって構築されている。
【００２７】
また、棚１２は、図６に示すように、当該段部２０に着脱自在に配設される棚ユニット１２Ａを備えている。かかる棚ユニット１２Ａは、棚１２の収納部１３…のうち、上述した階段Ｋ１と略対向する位置と重なる部位（右列下方の３つと、中列下方の２つおよび左列下方の１つ）の収納部１３Ａを構成するようになっている。これにより、棚１２は、階段室１０の外方に位置する他の空間Ｒ側（側壁１１の正面側）から見て、当該段部２０にも複数の収納部１３Ａ…が配設されることで、全体的に収納部１３…が配設された外観となるように構成されている。
【００２８】
すなわち、階段横収納１は、複数の収納部１３…を有する棚１２と、当該棚１２の下辺に位置する段部２０に着脱自在に配設され、複数の収納部１３Ａ…を構成する棚ユニット１２Ａと、を備え、側壁１１の正面から見て、全体的に井桁状の収納部１３，１３Ａを有するように構成されている。なお、棚ユニット１２Ａの詳細な構成などについては後述するため、ここでは割愛する。
【００２９】
具体的に棚１２は、上下方向に立設される左右の側板１２ａ，１２ｂと、これら左右の側板１２ａ，１２ｂ間に所定間隔で平行して立設される仕切板１２ｃ，１２ｃとを備えている。これと共に、棚１２はこれら左右の側板１２ａ，１２ｂおよび仕切板１２ｃ，１２ｃと直交する水平方向に、所定間隔で平行して配設される複数の棚板１２ｄ…を備えている。これにより、複数の収納部１３…が形成されてなる棚１２が構成される。
【００３０】
これら収納部１３…のうち、最上部に位置する部位（すなわち、左右の側板１２ａ，１２ｂおよび仕切板１２ｃ，１２ｃ間の最上部）には、天板１２ｅが配設されており（本実施形態の場合、３枚）、これら天板１２ｅは側壁１１の開口部分における上階側と、それぞれ対応する側板１２ａ，１２ｂおよび仕切板１２ｃとに固定部材（例えば、Ｌアングルやネジ、釘など）によって固定されている。なお、図３に示すように、この側壁１１の開口部分における上階側および下階側の開口端部には、それぞれ当該棚１２の幅方向に沿って延在する四角柱状等の天井補強材１１ａが設けられている。これにより、棚１２が設けられる側壁１１の強度（剛性）を高い状態で維持し得るようになっている。
【００３１】
また、これら収納部１３…のうち、最下部に位置する部位（すなわち、図２に示す段部２０の左右方向に沿った各段の上面部分）には、地板１２ｆが配設されており（本実施形態の場合、３枚）、これら地板１２ｆは当該段部２０の上面部分と、それぞれ対応する側板１２ａ，１２ｂおよび仕切板１２ｃとに固定部材（例えば、Ｌアングルやラフィックス金具、ネジ、釘など）によって固定されている。さらに、左側板１２ａは、下階の床１４と、側壁１１の開口部分における上階側との間に立設されており、右側板１２ｂは、側壁１１の開口部分における段部２０の最上段と、当該側壁１１の開口部分における上階側との間（すなわち、側壁１１の開口部分における右端部の上下に延在する側面部分）に沿って立設され、それぞれ対応する床１４、側壁１１（段部２０も含む）に、ネジや釘などの固定部材によって固定されている。
【００３２】
このとき、棚板１２ｄ…は、各段の上下間隔が段部２０の段差と略等しく、且つ、それぞれの段における右列・中列・左列の水平方向の高さが同一となるように配置されている。これにより、図２に示すような井桁状に区画された収納部１３…を形成することが可能となっている。
なお、これら左右の側板１２ａ，１２ｂおよび仕切板１２ｃ，１２ｃの互いに対向する面には、それぞれ対向する位置に、棚板１２ｄと同様に構成され、取り外し自在な棚板（不図示）を支持するためのピン（不図示）を挿入可能な孔１３ａが複数穿設されている。これにより、取り外し自在な棚板を任意の高さに追加可能となっている。また、後述する棚ユニット１２Ａにおいても同様に、側板１３ｂ，１３ｃや仕切板１３ｄに複数の孔１３ａが設けられており、後述する棚板１３ｆと同様に構成され、取り外し自在な棚板（不図示）を任意の高さに追加可能となっている（図１，図６等参照）。
【００３３】
このように、この棚１２は、段部２０より上方側となる階段Ｋ１より上方に位置する部分に複数の収納部１３…が形成されており、各収納部１３…は、階段室１０の内方となる階段Ｋ１側（背面側）と、階段室１０の外方となる他の空間Ｒ側（正面側）とを連通して貫通させた状態で開放されている。また、棚１２は、図２〜図６に示すように、階段Ｋ１より下方に位置する部分が、側壁１１の開口部分における段部２０となっており、当該側壁１１によって閉塞されている。つまり、棚１２の下辺側のうち、階段Ｋ１に沿って延びる部分（側壁１１の段部２０）は、階段Ｋ１側から見て階段状の段差を有するように形成されている。
【００３４】
なお、棚１２の背面側（階段Ｋ１側）には、収納部１３の段差を利用して、階段Ｋ１に沿った手摺（不図示）を設けられるように、当該手摺を保持するための保持部（不図示）が設けられていても良い。これにより、階段Ｋ１を使用する際の使い勝手が良くなる利点を備えることが可能となっている。このとき、棚１２の上方部分を、階段Ｋ１に沿った手摺を有する形態とすることができるので、階段Ｋ１との関係においてデザイン性が向上する利点を備えることも可能となっている。
【００３５】
さらに、棚１２の段部２０に位置する階段Ｋ１側には、側壁１１と階段Ｋ１との間に、オレフィン合板等の化粧板１５が配設されており、これによって、当該段部２０の階段室１０側の面が他の側壁１１と面一となり、秀美な仕上がりとなるように配慮されている。
なお、ここでは図示省略するが、棚１２の階段室１０の内方側、すなわち階段Ｋ１側に位置する背面側（とりわけ、当該段部２０の部位の階段Ｋ１側）には、階段Ｋ１（具体的には、階段Ｋ１を構成する各段板）を支持するための支持部（例えば、ささら桁）が設けられている。これにより、段部２０の段差を利用して階段Ｋ１をより簡単に構成することも可能となっている。
【００３６】
このとき、棚１２におけるささら桁などの支持部を備えた部位（または、この支持部を備える棚１２自体）が壁パネルによって構成されていても良い。この場合、壁パネルとして制作される棚１２は、支持部を備えた部位あるいは全体が、間仕切壁として作られる一般的な壁パネルと同様に、パネルを構成する縦（垂直）方向・横（水平）方向に互いに直交して配置される格子により、特に垂直荷重を支持する耐力壁としての機能も備えることが可能となる。また、横（水平）方向への変形を防ぐため、部分的に面材を貼設しても良い。しかも、支持部を備える棚１２が、壁パネルによって構成される場合、当該棚１２の構築がより簡易になり、工期を一段と短縮化することも可能となる。
【００３７】
ここで、図１および図６に示すように、階段横収納１の前記段部２０における他の領域Ｒ側（正面側）には、棚ユニット１２Ａが着脱自在（実用的に言えば、取り外し可能）に設けられている。換言すれば、階段横収納１は、棚１２における階段Ｋ１より下方に位置する他の空間Ｒ側の一部が、棚ユニット１２Ａとして別体で形成されていると共に、着脱自在に構成されている。
【００３８】
具体的に棚ユニット１２Ａは、棚１２の左側板１２ａと対向配置される仕切板１２ｃと同一線上に配置される側板１３ｂと、棚１２の右側板１２ｂと同一線上に配置される側板１３ｃと、これら側板１３ｂおよび１３ｃ間に平行に配置されると共に、棚１２の右側板１２ｂと対向配置される仕切板１２ｃと同一線上に配置される仕切板１３ｄと、を備えている。また、これら側板１３ｂと仕切板１３ｄおよび、側板１３ｃと仕切板１３ｄとの間には、これらと直交する水平方向に、それぞれ棚板１３ｆが配設されている。加えて、棚１２の左列の最下部には、当該棚板１３ｆと略等しい大きさの棚板１２ｇが設けられ、前記床１４に固定されている。そして、このような構成からなる棚ユニット１２Ａが、棚１２における側壁１１の段部２０と対向する部分に配置されることで棚１２と一体化され、井桁状の収納部１３と略同一の収納部１３Ａを形成し、全体として均一に区画された複数の収納部１３，１３Ａを有する階段横収納１を構成するようになっている。
【００３９】
このとき、棚１２と棚ユニット１２Ａとの境目に設けられる収納部１３Ａのうち、左列最下部の収納部１３Ａは、左側板１２ａ，側板１３ｂ，地板１２ｆ，棚板１２ｇによって構成されている。また、中列下から２段目の収納部１３Ａは、仕切板１２ｃおよび１３ｄ，地板１２ｆ，棚板１３ｆによって構成されている。さらに、右列下から３段目の収納部１３Ａは、仕切板１２ｃ，側板１３ｃ，地板１２ｆ，棚板１３ｆによって構成されている。
【００４０】
このように、階段横収納１は、棚１２の下方（すなわち、側壁１１の段部２０）に棚ユニット１２Ａが配設されることにより、他の空間Ｒ側（正面側）が開放されていると共に、階段Ｋ１側（背面側）が側壁１１によって閉塞された複数の収納部１３Ａ…を備えている。
【００４１】
つまり、階段横収納１において、階段Ｋ１より上方に位置する部分（すなわち、段部２０より上方の棚１２における収納部１３）では、正面側と背面側とが連通して形成されることで、階段室１０の内方と外方とが貫通して開放されており、階段Ｋ１より下方に位置する部分（すなわち、段部２０に配置される棚ユニット１２Ａの収納部１３Ａ）では、正面側のみが開放され、背面側が側壁１１によって閉塞されている。因みに、収納部１３Ａは、背面側が側壁１１によって閉塞されるため、上方側の収納部１３に比べて奥行きが狭くなっている。
【００４２】
要するに、階段横収納１は、全体として段部２０より上方側となる階段Ｋ１より上方に位置する棚１２が、正面と背面とを連通して貫通させた状態で開放された複数の収納部１３…によって構成され、段部２０より下方側となる階段Ｋ１より下方に位置する棚ユニット１２Ａが、正面を開放され、背面を側壁１１で閉塞された複数の収納部１３Ａ…によって構成される。
【００４３】
従って、かかる階段横収納１では、段部２０に棚ユニット１２Ａを配置することで、正面から見て全体的に収納部１３，１３Ａを備えたデザインとすることが可能となっており、棚１２の段部２０によって階段状に欠けたデザインを補うことが可能となっている。
【００４４】
なお、この階段横収納１は、階段Ｋ１より上方側の棚１２における収納部１３が奥行きのある本棚または収納棚のような構成となっており、階段Ｋ１より下方側の棚ユニット１２Ａにおける収納部１３Ａが奥行きの狭い飾り棚や、デザイン性を強調した格子飾り板などとして構成されるようになっているが、一例であってこれに限ることはなく、収納部１３，１３Ａ（格子）の大きさも任意に設定することが可能であることは言うまでもない。
【００４５】
以上、説明したように、本実施形態の階段横収納１では、階段室１０に配設される階段Ｋ１の横に位置し、当該階段室１０を隣接する他の空間Ｒと間仕切るための側壁１１が、階段Ｋ１に沿って延在する井桁に組んだ棚１２によって構成されるので、建物内の日常頻繁に使用される階段Ｋ１の階段横であっても階段Ｋ１のスペースを狭めることなく、開放感のある収納スペースとして有効利用できる。
このとき、この階段横収納１は、井桁に組んだ棚１２によって構成されるので、デザイン性に優れている。また、棚１２全体への物品の出し入れに階段Ｋ１を利用できるので利便性にも優れており、しかもその便利な棚１２を階段Ｋ１に沿って広範囲に設けることができる。
【００４６】
さらに、棚１２の階段Ｋ１より上方部分（収納部１３）が貫通して開放されていることにより、扉などの閉塞する部品のある棚に比べて格段と開放性が向上するため、階段Ｋ１の階段横の空間に開放感が得られる。加えて、棚１２の階段Ｋ１より下方部分（収納部１３Ａ）の当該階段Ｋ１側が階段横の側壁１１によって閉塞されているので、棚１２の背面（すなわち、収納部１３Ａの奥面）に側壁１１が存在する形態となり、この側壁１１に物品や装飾品を飾り付けて利用することができる。このとき、井桁に組んだ棚１２が四角い額縁のような装飾機能も発揮する。
【００４７】
また、階段Ｋ１より下方に位置する他の空間Ｒ側（正面側）の棚１２の一部が、棚ユニット１２Ａとして別体で着脱自在に形成されているので、必要に応じて収納部１３Ａを増減させることができ、棚１２における収納量を調整できる。また、この棚ユニット１２Ａを装着して収納部１３Ａを形成することで、棚１２全体に収納部１３，１３Ａを井桁状に配置したデザインとしたり、この棚ユニット１２Ａを離脱させて収納部１３Ａを排除することで、棚１２の当該棚ユニット１２Ａを配置していた部分（段部２０）を閉塞されたデザインとしたりでき、棚１２のデザインにバリエーションを持たせることもできる。
【００４８】
しかも、側壁１１における棚１２の部位が、他の側壁１１だけの部位に比較して壁厚方向の寸法が長く（すなわち、厚みが厚く）設定されており、この棚１２が井桁に組んだ構成からなるので、棚１２は十分な剛性を発揮できる。従って、階段Ｋ１の階段横における側壁１１の剛性を高い状態で維持できる。
【００４９】
さらに、棚１２の階段Ｋ１側（すなわち、階段室１０の内方に位置する背面側）には、当該階段Ｋ１を支持するための支持部（例えば、ささら桁）が設けられていることが好ましい。この場合、当該支持部（ささら桁など）によって段板を支持することで階段Ｋ１を構成できるため、階段Ｋ１と棚１２を一体化でき、これらの施工を簡略化できる。また、棚１２の下方部分が階段状の段差を有する形態となるので、階段Ｋ１との関係においてデザイン性が向上し、ギャラリーとして利用する際に効果的である。しかも、棚１２自体は井桁に組んで構成されるので、棚１２の下方部分を階段状の段差で形成することに大変都合が良い。
【００５０】
このとき、棚１２におけるささら桁などの支持部を備えた部位（または、この支持部を備える棚１２自体）が壁パネルによって構成されていても良い。この場合、壁パネルとして制作される棚１２は、支持部を備えた部位あるいは全体が、間仕切壁として作られる一般的な壁パネルと同様に、パネルを構成する縦（垂直）方向・横（水平）方向に互いに直交して配置される格子により、特に垂直荷重を支持する耐力壁としての機能も備えることができる。また、部分的に面材を貼設しても良く、この場合、横（水平）方向への変形を防ぐことも可能となる。しかも、支持部を備える棚１２が、壁パネルによって構成される場合、当該棚１２の構築がより簡易になり、工期を一段と短縮化できる利点も備えることができる。
【００５１】
さらに、棚１２の階段室１０の内方となる階段Ｋ１側（背面側）に、当該階段Ｋ１に沿った手摺（不図示）が取付可能となっているので、階段Ｋ１を使用する際の使い勝手を良くすることができる。このとき、棚１２の上方部分を、階段Ｋ１に沿った手摺を有する形態とすることができ、階段Ｋ１との関係においてデザイン性が向上する利点を備えることができる。
【００５２】
また、棚１２の下辺部分のうち、階段Ｋ１に沿って延びる部分（段部２０）を、階段状の段差を有するように形成したことによって、棚１２の下辺部分を階段室１０の階段Ｋ１側（すなわち、階段横収納１の背面側）において階段Ｋ１から離して配置することができ、階段の機能を低下させることがない。さらに、棚１２の下辺部分が階段状の段差を有する形態となるので、階段Ｋ１との関係においてデザイン性が良くなり、ギャラリーとして利用する際に効果的である。しかも、棚１２自体は井桁に組んで構成するので、棚１２の下辺部分を階段状の段差に形成するのに大変都合が良い利点も得られる。
【００５３】
なお、本発明は、上述した実施形態に限定されることなく、本発明の趣旨を逸脱しない範囲において、適宜、種々の改良および設計の変更が可能である。
【００５４】
例えば、上述した実施形態では階段横収納１を、上下階を接続する階段Ｋ１の階段横に位置する側壁１１に井桁に組んだ形状で備えるようにした場合について述べたが、一例であってこれに限られず、棚１２の全体形状（デザイン）や収納部１３，１３Ａの形状等も必要に応じて、またはデザイン性を考慮して任意に変更することは当然に可能である。
すなわち、左右の側板１２ａ，１２ｂや仕切板１２ｃ，１２ｃに設けられた複数の孔１３ａのうち、任意の位置の孔１３ａに配設するピン（不図示）の支持により、取り外し自在な棚板（不図示）を追加したり、棚板１２ｄ，１３ｆの位置を任意に変更したりすることも可能である。
【００５５】
また、上述した実施形態では、階段横収納１における棚１２の下方（すなわち、側壁１１の段部２０）が、壁パネルからなるパネル工法によって構築されている場合について述べたが、一例であってこれに限られず、この段部２０の構成としては壁パネルに限ることはなく、この他、例えば軸組工法等によって構築されても良い。
【００５６】
さらに、上述した実施形態では、棚１２の前記背面側（とりわけ、当該段部２０の部位の階段Ｋ１側）に、階段Ｋ１を構成する各段板を支持するための支持部を設けるようにした場合について述べたが、一例であってこれに限られず、階段Ｋ１としては、階段ユニットとしてユニット化されたものであっても良い。
【００５７】
加えて、階段横収納１は、棚ユニット１２Ａを棚１２と一体に形成して固定化し、上方側に奥行きの広い収納部１３を配置して、下方側に奥行きの狭い、所謂、段板梯子として機能する収納部１３Ａを配置する構成としても良い。このようにすれば、その段板梯子からなる収納部１３Ａを利用して階段Ｋ１からは届かない高い位置の収納部１３における物品の出し入れや飾り付けが可能となる。
【００５８】
また、建物としては地階を有していても良く、階段としては地階と下階を連絡する第１の階段と、下階と上階を連絡する第２の階段とを、地階から上階まで連続する吹き抜け階段としても良く、その吹き抜け階段の階段横の側壁に井桁に組んだ棚を配設するようにしても良い。この場合、地階から上階まで、または上階から地階まで見通せる開放感のある階段と、その階段スペースを利用した使い勝手の良い棚とによって、視野の広い開放感と良好な機能性とを兼ね備えた階段横収納を得ることができる。
【００５９】
さらに、それら第１の階段および第２の階段のほぼ全体が見通せるように、それらの階段方向を直線的に連続させた構成とする場合、地階から上階までの階段が直線的に繋がると共に、全体が一つの吹き抜け階段の形態となり、より大きな開放感を得ることもできる。このとき、第１の階段および／または第２の階段の階段横に配置する棚１２を含む階段領域の視野の広い開放感をさらに高めることができるだけでなく、直線的な側壁の領域も広がるので、その分、棚１２の領域を大きく広げることができる。
【００６０】
また、第１の階段と第２の階段との間に下階の床１４と同じ床面からなる踊り場を備えるようにすれば、棚１２を設ける領域を踊り場の領域まで広げることができ、しかも踊り場付近の棚１２は、踊り場を足場として物品の出し入れや飾り付けを行うことができる。
さらに、第１の階段と第２の階段とを下階の床１４を踊り場として連続させることによって、踊り場を別途設ける必要がなく、かつ階段をシンプルに構成することができる。
【００６１】
また、階段Ｋ１を下階から地階に至る第１の階段とし、棚１２を当該第１の階段における階段横の側壁に設けるようにすれば、日常的に頻繁に利用されない地階への階段とその階段横の側壁の領域を棚領域として有効利用することができる。この場合、階段が地階への階段であるため、棚１２を含む階段領域をいわゆる書斎のような階段領域として、あるいはギャラリーとして利用することができる。しかも、階段横収納１としての棚１２を地階と下階との間に設けることで、当該棚１２の正面と背面とが貫通した収納部１３を介して、下階側から地階へ採光・採風が可能となる。
【００６２】
さらに、建物として２階以上の建物を適用し、階段Ｋ１が直線的に延びて上下の階に至り、棚１２が上下の階に至る長さおよび高さを有する構成とすれば、直線的に延びて上下の階に至る階段Ｋ１の存在によって、階段Ｋ１と、階段横の側壁１１と、そこに設けた棚１２との相関関係において階段が湾曲している場合に比べて更に視野の広い開放感が得られ、棚１２の存在により圧迫感が生じることもない。
【符号の説明】
【００６３】
１…階段横収納
１０…階段室
１１…側壁
１２…棚
１２ａ，１２ｂ，１３ｂ，１３ｃ…側板
１２ｃ，１３ｄ…仕切板
１２ｄ，１３ｆ…棚板
１２ｅ…天板
１２ｆ…地板
１２Ａ…棚ユニット
１３，１３Ａ…収納部
１４…床
１５…化粧板
２０…段部
Ｋ１…階段
Ｒ…他の領域
【図１】
2014224417.tif 000003
【図２】
2014224417.tif 000004
【図３】
2014224417.tif 000005
【図４】
2014224417.tif 000006
【図５】
2014224417.tif 000007
【図６】
2014224417.tif 000008